(57)【要約】【課題】寒冷地の冬季に運転されても、熱交換器内部での結露や凍結の影響を回避して、本来の熱交換気運転を確実に継続することができる熱交換形換気装置を提供することを目的とする。【解決手段】本体箱１内に、熱交換器７ａと熱交換器７ｂを備え、室外空気を吸込み室内へ給気を行う給気送風手段８と、室内空気を吸込み室外へ排気を行う排気送風手段９を備え、熱交換器７ａ、熱交換器７ｂの給気流路１４ａ、給気流路１４ｂに室外空気を選択して供給する選択手段１８ａ、選択手段１８ｂを備え、選択手段１８ａ、選択手段１８ｂは給気流路１４ａ、給気流路１４ｂの一部を順次塞ぎ、開口している給気流路１４ａ、給気流路１４ｂに室外空気を供給するデフロスト熱交換気と、全ての給気流路１４ａ、給気流路１４ｂに室外空気を供給する熱交換気を行う。【選択図】図１
2011202814.tif 000002
【特許請求の範囲】
【請求項１】
室外より室外空気を吸込む室外吸込口と室内より室内空気を吸込む室内吸込口と室外へ室内空気を排気する室外排出口と室内へ室外空気を給気する室内給気口を備えた本体箱内に、室外空気を通風させる給気流路を流れる室外空気と、室内空気を通風させる排気流路を流れる室内空気とを熱交換する熱交換器を備え、室外空気を吸込み、前記給気流路を通じて室内へ給気を行う給気送風手段と、室内空気を吸込み、前記排気流路を通じて室外へ排気を行う排気送風手段を備えた構成であって、前記熱交換器の前記給気流路に室外空気を選択して供給する選択手段を備え、前記選択手段は前記熱交換器の前記給気流路の一部を順次塞ぎ、開口している前記熱交換器の前記給気流路に室外空気を供給するデフロスト熱交換気と、前記熱交換器の全ての前記給気流路に室外空気を供給する熱交換気を行い、前記給気流路に連通する風路内および／または前記排気流路に連通する風路内に、結露や凍結の状態を検知できる結露検知手段を備え、前記結露検知手段の検出値に応じて、前記デフロスト熱交換気および前記熱交換気の運転制御を行うことを特徴とする熱交換形換気装置。
【請求項２】
結露検知手段の検出値に応じて、熱交換気を継続する運転と、デフロスト熱交換気を継続する運転と、前記熱交換気と前記デフロスト熱交換気を交互に切替える運転の制御を行うことを特徴とする請求項１に記載の熱交換形換気装置。
【請求項３】
選択手段は給気流路に連通する風路内であって、熱交換器と室外吸込口の間に複数に分割した区画と、前記区画に少なくとも一つ以上の風向調整板を備えたことを特徴とする請求項２に記載の熱交換形換気装置。
【請求項４】
風向調整板は回転することで、熱交換器と区画との接続の切替えを行うことを特徴とする請求項３に記載の熱交換形換気装置。
【請求項５】
風向調整板は移動することで、熱交換器と区画との接続の切替えを行うことを特徴とする請求項３に記載の熱交換形換気装置。
【請求項６】
選択手段は熱交換器の室外吸込口側の流入口の一部を塞ぐ風向移動板を備え、前記風向移動板は前記熱交換器の前記流入口を移動することを特徴とする請求項２に記載の熱交換形換気装置。
【請求項７】
給気送風手段は熱交換器と室内給気口の間に備え、前記給気送風手段が給気流路から室外空気を吸込んで室内へ給気するように配置したことを特徴とする請求項１から６のいずれかに記載の熱交換形換気装置。
【請求項８】
給気送風手段は羽根車と給気原動機を備え、熱交換気の運転よりデフロスト熱交換気の運転の場合に、前記給気原動機の回転数を上げることを特徴とする請求項７に記載の熱交換形換気装置。
【請求項９】
排気送風手段は熱交換器と室内吸込口の間に備え、前記排気送風手段が排気流路へ室内空気を送込んで室外へ排気するように配置したことを特徴とする請求項１から８のいずれかに記載の熱交換形換気装置。
【請求項１０】
デフロスト熱交換気の運転の場合に、室外空気を吸込み、一部の室外空気は熱交換器の給気流路を通じ、その他の室外空気は前記熱交換器の前記給気流路を通じず、室内へ給気を行う給気送風手段および分配手段を備えたことを特徴とする請求項１から９のいずれかに記載の熱交換形換気装置。
【請求項１１】
分配手段は室外吸込口から熱交換器の給気流路を通じず給気送風手段へ連通するバイパス風路と、選択手段と室外吸込口の間に風向分配板を備え、前記風向分配板は前記バイパス風路との接続の切替えを行うことを特徴とする請求項１０に記載の熱交換形換気装置。
【請求項１２】
熱交換器は温度と湿度を交換する全熱交換器であることを特徴とする請求項１から１１のいずれかに記載の熱交換形換気装置。
【請求項１３】
熱交換器は給気流路および排気流路の出入口にそれぞれ流入口と吐出口を備え、前記給気流路の前記流入口と前記排気流路の前記流入口とが離れていることを特徴とする請求項１２に記載の熱交換形換気装置。
【請求項１４】
熱交換器は給気流路を通風する室外空気と排気流路を通風する室内空気とが対向することを特徴とする請求項１３に記載の熱交換形換気装置。
【発明の詳細な説明】
【技術分野】
【０００１】
本発明は、寒冷地等で使用され、室外空気を通風させる給気流路と室内空気を通風させる排気流路を備えた熱交換器により、給気流路と排気流路との間で室外空気と室内空気の熱交換を行う熱交換形換気装置に関する。
【背景技術】
【０００２】
この種の熱交換形換気装置は、冬季に室外の温度が、例えば−１０℃以下のような低い温度になると、室内からの温かい湿気を含む空気が流れる熱交換器の排気流路において、隣接する給気流路に室外からの冷たい空気が流れることにより、結露や凍結が生じて目詰まりしていくので、従来の熱交換形換気装置では、この結露や凍結による排気流路内の目詰まりを凍結抑制制御により防止していた（例えば、特許文献１参照）。
【０００３】
また、室外の温度が−２５℃のようなきわめて低い温度となる地域では、実用に供する熱交換形換気装置がないのが実状であった。
【０００４】
以下、特許文献１に示す熱交換形換気装置について、図１１を参照しながら説明する。
【０００５】
図１１に示すように、熱交換器ユニット１０１は室内の空気と室外の空気の間で熱交換気を行い、熱交換器ユニット１０１は、熱交換器１０２と、室内の空気を室外へ排気し、熱交換器１０２を経由する排気経路１０３と、室外の空気を室内へ給気し、熱交換器１０２を経由する給気経路１０４と、排気経路１０３に組み込まれる排気ファン１０５と、給気経路１０４に組み込まれる給気ファン１０６と、室外の空気の外気温度を検出する温度センサー１０７と、温度センサー１０７で検出した外気温度によって排気ファン１０５と給気ファン１０６の運転制御を行う制御部を備えている。
【０００６】
そして、熱交換器ユニット１０１の制御部は、外気温度が−１０℃を下回った時に、熱交換器１０２が凍結することを抑えるため、外気温度に応じて２つの凍結抑制制御を行い、この２つの凍結抑制制御は第１凍結抑制制御および第２凍結抑制制御である。
【０００７】
第１凍結抑制制御は、外気温度が−１０℃を下回った場合に、熱交換器１０２の凍結を抑制する制御であり、排気ファン１０５を常時作動させ、給気ファン１０６の動作を６０分のうち最初の１５分だけ休止させる運転を繰り返す。
【０００８】
第２凍結抑制制御は、外気温度が−１５℃を下回った場合に、第１凍結抑制制御よりも強力に熱交換器１０２の凍結を抑制する制御であり、排気ファン１０５および給気ファン１０６の間欠運転を行う。第２凍結抑制制御は、排気ファン１０５および給気ファン１０６を６０分休止させた後に５分だけ作動を再開させる運転を繰り返す。
【先行技術文献】
【特許文献】
【０００９】
【特許文献１】特許第３７４４４０９号公報
【発明の概要】
【発明が解決しようとする課題】
【００１０】
このような従来の熱交換器ユニット１０１では、外気温度が−１０℃を下回った場合の第１凍結抑制制御は、排気ファン１０５は常時作動させ、給気ファン１０６は６０分のうちの４５分だけ作動する運転を繰り返すため、給気ファン１０６が休止している１５分間は、室内が負圧になって、建物の隙間から室外の空気が流入し、コールドドラフトや結露を発生することがあった。
【００１１】
また、従来の熱交換器ユニット１０１は、外気温度が−１５℃を下回った場合の第２凍結抑制制御は、排気ファン１０５および給気ファン１０６は６５分のうちの５分だけ作動し、この５分の排気ファン１０５および給気ファン１０６の作動は、主に温度センサー１０７による外気温度の監視であり、殆どの時間は熱交換気の運転が停止しているため、家屋やビルなどに必要な換気風量を熱回収しながら得ることができなかった。
【００１２】
また、従来の熱交換器ユニット１０１では、結露やコールドドラフトの影響を回避し、熱交換気を継続して必要な換気風量を得るためには、熱交換器ユニット１０１を複数備える必要があり、装置が大型化し、構成が複雑になるという課題があった。
【００１３】
本発明はこのような課題を解決するものであり、室外がきわめて低い温度となる寒冷地の冬季に運転されても、給気ファンや排気ファンを休止させることなく、熱交換器の排気流路における結露や凍結の影響を回避して、簡単な構成で熱交換気の継続を確実に行い、必要な換気量を得ることができる熱交換形換気装置の提供を目的としている。
【課題を解決するための手段】
【００１４】
本発明の熱交換形換気装置は上記目的を達成するために、室外より室外空気を吸込む室外吸込口と室内より室内空気を吸込む室内吸込口と室外へ室内空気を排気する室外排出口と室内へ室外空気を給気する室内給気口を備えた本体箱内に、室外空気を通風させる給気流路を流れる室外空気と、室内空気を通風させる排気流路を流れる室内空気とを熱交換する熱交換器を備え、室外空気を吸込み、前記給気流路を通じて室内へ給気を行う給気送風手段と、室内空気を吸込み、前記排気流路を通じて室外へ排気を行う排気送風手段を備えた構成であって、前記熱交換器の前記給気流路に室外空気を選択して供給する選択手段を備え、前記選択手段は前記熱交換器の前記給気流路の一部を順次塞ぎ、開口している前記熱交換器の前記給気流路に室外空気を供給するデフロスト熱交換気と、前記熱交換器の全ての前記給気流路に室外空気を供給する熱交換気を行い、前記給気流路に連通する風路内および／または前記排気流路に連通する風路内に、結露や凍結の状態を検知できる結露検知手段を備え、前記結露検知手段の検出値に応じて、前記デフロスト熱交換気および前記熱交換気の運転制御を行うものである。
【００１５】
また、他の手段は、結露検知手段の検出値に応じて、熱交換気を継続する運転と、デフロスト熱交換気を継続する運転と、前記熱交換気と前記デフロスト熱交換気を交互に切替える運転の制御を行うものである。
【００１６】
また、他の手段は、選択手段は給気流路に連通する風路内であって、熱交換器と室外吸込口の間に複数に分割した区画と、前記区画に少なくとも一つ以上の風向調整板を備えたものである。
【００１７】
また、他の手段は、風向調整板は回転することで、熱交換器と区画との接続の切替えを行うものである。
【００１８】
また、他の手段は、風向調整板は移動することで、熱交換器と区画との接続の切替えを行うものである。
【００１９】
また、他の手段は、選択手段は熱交換器の室外吸込口側の流入口の一部を塞ぐ風向移動板を備え、前記風向移動板は前記熱交換器の前記流入口を移動するものである。
【００２０】
また、他の手段は、給気送風手段は熱交換器と室内給気口の間に備え、前記給気送風手段が給気流路から室外空気を吸込んで室内へ給気するように配置したものである。
【００２１】
また、他の手段は、給気送風手段は羽根車と給気原動機を備え、熱交換気の運転よりデフロスト熱交換気の運転の場合に、前記給気原動機の回転数を上げるものである。
【００２２】
また、他の手段は、排気送風手段は熱交換器と室内吸込口の間に備え、前記排気送風手段が排気流路へ室内空気を送込んで室外へ排気するように配置したものである。
【００２３】
また、他の手段は、デフロスト熱交換気の運転の場合に、室外空気を吸込み、一部の室外空気は熱交換器の給気流路を通じ、その他の室外空気は前記熱交換器の前記給気流路を通じず、室内へ給気を行う給気送風手段および分配手段を備えたものである。
【００２４】
また、他の手段は、分配手段は室外吸込口から熱交換器の給気流路を通じず給気送風手段へ連通するバイパス風路と、選択手段と室外吸込口の間に風向分配板を備え、前記風向分配板は前記バイパス風路との接続の切替えを行うものである。
【００２５】
また、他の手段は、熱交換器は温度と湿度を交換する全熱交換器としたものである。
【００２６】
また、他の手段は、熱交換器は給気流路および排気流路の出入口にそれぞれ流入口と吐出口を備え、前記給気流路の前記流入口と前記排気流路の前記流入口とが離れているものである。
【００２７】
また、他の手段は、熱交換器は給気流路を通風する室外空気と排気流路を通風する室内空気とが対向するものである。
【発明の効果】
【００２８】
本発明によれば、室内がきわめて低い温度となる寒冷地の冬季に運転されても、熱交換器の排気流路内における結露や凍結の影響を回避して、必要な換気風量を熱回収しながら得る本来の熱交換気を継続して実施することができ、この熱交換気の運転の継続を簡単な構成で実現できる熱交換形換気装置が得られる。
【図面の簡単な説明】
【００２９】
【図１】（ａ）本発明の実施の形態１の熱交換気の運転を示す熱交換形換気装置の水平断面図、（ｂ）同熱交換気の運転を示す熱交換形換気装置の鉛直断面を示す構成図
【図２】（ａ）（ｂ）同熱交換器を示す概略斜視図
【図３】（ａ）（ｂ）同熱交換器を示す概略分解斜視図
【図４】（ａ）同デフロスト熱交換気の運転を示す熱交換形換気装置の水平断面を示す構成図、（ｂ）同デフロスト熱交換気の運転を示す熱交換形換気装置の鉛直断面を示す構成図
【図５】（ａ）本発明の実施の形態２の熱交換気の運転を示す熱交換形換気装置の水平断面を示す構成図、（ｂ）同熱交換気の運転を示す熱交換形換気装置の鉛直断面を示す構成図
【図６】（ａ）同デフロスト熱交換気の運転を示す熱交換形換気装置の水平断面を示す構成図、（ｂ）同デフロスト熱交換気の運転を示す熱交換形換気装置の鉛直断面を示す構成図
【図７】（ａ）本発明の実施の形態３の熱交換気の運転を示す熱交換形換気装置の水平断面を示す構成図、（ｂ）同熱交換気の運転を示す熱交換形換気装置の鉛直断面を示す構成図
【図８】（ａ）同デフロスト熱交換気の運転を示す熱交換形換気装置の水平断面を示す構成図、（ｂ）同デフロスト熱交換気の運転を示す熱交換形換気装置の鉛直断面を示す構成図
【図９】（ａ）本発明の実施の形態４の熱交換気の運転を示す熱交換形換気装置の水平断面を示す構成図、（ｂ）同熱交換気の運転を示す熱交換形換気装置の鉛直断面を示す構成図
【図１０】（ａ）同デフロスト熱交換気の運転を示す熱交換形換気装置の水平断面を示す構成図、（ｂ）同デフロスト熱交換気の運転を示す熱交換形換気装置の鉛直断面を示す構成図
【図１１】従来の熱交換器ユニットを示す概略断面図
【発明を実施するための形態】
【００３０】
本発明の請求項１に記載の熱交換形換気装置は、室外より室外空気を吸込む室外吸込口と室内より室内空気を吸込む室内吸込口と室外へ室内空気を排気する室外排出口と室内へ室外空気を給気する室内給気口を備えた本体箱内に、室外空気を通風させる給気流路を流れる室外空気と、室内空気を通風させる排気流路を流れる室内空気とを熱交換する熱交換器を備え、室外空気を吸込み、前記給気流路を通じて室内へ給気を行う給気送風手段と、室内空気を吸込み、前記排気流路を通じて室外へ排気を行う排気送風手段を備えた構成であって、前記熱交換器の前記給気流路に室外空気を選択して供給する選択手段を備え、前記選択手段は前記熱交換器の前記給気流路の一部を順次塞ぎ、開口している前記熱交換器の前記給気流路に室外空気を供給するデフロスト熱交換気と、前記熱交換器の全ての前記給気流路に室外空気を供給する熱交換気を行い、前記給気流路に連通する風路内および／または前記排気流路に連通する風路内に、結露や凍結の状態を検知できる結露検知手段を備え、前記結露検知手段の検出値に応じて、前記デフロスト熱交換気および前記熱交換気の運転制御を行うものであり、室外がきわめて低い温度となる寒冷地で運転した場合、結露検知手段と選択手段によりデフロスト熱交換気および熱交換気の運転制御を行うため、簡単な構成で本来の熱交換気の運転を継続することができる。すなわち、選択手段が熱交換器の全ての給気流路に室外空気を供給している時は、本来の熱交換気を行う。そして、熱交換気を継続すると、室内の温かい湿度を含む室内空気ときわめて低い温度の室外空気が熱交換器で熱交換する際に、室内空気は熱交換器の排気流路で結露が起こり、氷結していく。この氷結を解消するため、選択手段が熱交換器の給気流路の一部を塞いでいる部分は、熱交換器に室内空気だけが供給され排気流路の氷を融解するデフロストを行う。一方、選択手段が熱交換器の給気流路を塞いでいない熱交換器の給気流路の開口部分は、室外空気が供給され、室外空気と室内空気とで熱交換気を行う。選択手段が熱交換器の給気流路の一部を順次塞ぐことにより、簡単な構成で熱交換気とデフロストの運転を同時に継続できるデフロスト熱交換気が実現できる。
【００３１】
また、請求項２に記載の熱交換形換気装置は、結露検知手段の検出値に応じて、熱交換気を継続する運転と、デフロスト熱交換気を継続する運転と、前記熱交換気と前記デフロスト熱交換気を交互に切替える運転の制御を行うものであり、結露検知手段の検出値が、例えば室外空気の温度が−５℃以上の場合は、熱交換器の排気流路で結露が起こりにくいため、本来の熱交換気を継続する運転を行い、室外空気の温度が−１５℃以下の場合は、熱交換器の排気流路で結露や氷結が起こりやすいため、氷結の解消を促進するデフロスト熱交換気を継続する運転を行い、室外空気の温度が−５℃から−１５℃の間の場合は、熱交換器の排気流路での結露や氷結を解消するため、熱交換気とデフロスト熱交換気を交互に切替える運転を行うことで、効率的な熱交換気とデフロストの運転制御ができる。
【００３２】
また、請求項３に記載の熱交換形換気装置は、選択手段は給気流路に連通する風路内であって、熱交換器と室外吸込口の間に複数に分割した区画と、前記区画に少なくとも一つ以上の風向調整板を備えたものであり、選択手段は区画と風向調整板との接続により給気流路に室外空気を選択して供給することが容易にでき、簡単な構成で熱交換気の継続を確実に行うことができる。また、選択手段は熱交換器と室外吸込口の間に配置しているため、室外がきわめて低い温度となる寒冷地で運転した場合、デフロスト熱交換気を行っている熱交換器の給気流路は、きわめて低い温度の室外空気と遮断ができ、熱交換器のデフロスト換気を行っている熱交換器内で結露が発生することを抑制し、熱交換器のデフロストを短時間で行うことができるので、熱交換気の継続を確実に行うことができる。
【００３３】
また、請求項４に記載の熱交換形換気装置は、風向調整板は回転することで、熱交換器と区画との接続の切替えを行うものであり、風向調整板の回転だけで区画との接続の切替えができ、給気流路に室外空気を選択して供給することが容易にでき、簡単な構成で熱交換気の継続を確実に行うことができる。
【００３４】
また、請求項５に記載の熱交換形換気装置は、風向調整板は移動することで、熱交換器と区画との接続の切替えを行うものであり、風向調整板の移動だけで区画との接続の切替えができ、給気流路に室外空気を選択して供給することが容易にでき、簡単な構成で熱交換気の継続を確実に行うことができる。
【００３５】
また、請求項６に記載の熱交換形換気装置は、選択手段は熱交換器の室外吸込口側の流入口の一部を塞ぐ風向移動板を備え、前記風向移動板は前記熱交換器の前記流入口を移動するものであり、風向移動板が熱交換器の流入口の一部を塞いでいる部分はデフロスト熱交換気が行われ、熱交換器の流入口を塞いでいない部分は熱交換気が行われ、風向移動板が順次移動することにより、デフロスト熱交換気と熱交換気が熱交換器の内部で順次場所を変えて行うことができるので、選択手段は給気流路に室外空気を選択して供給することが容易にでき、簡単な構成で熱交換気の継続を確実に行うことができる。また、選択手段の風向移動板は熱交換器の室外吸込口側に配置しているため、室外がきわめて低い温度となる寒冷地で運転した場合、デフロスト熱交換気を行っている熱交換器の給気流路は、きわめて低い温度の室外空気と遮断ができ、熱交換器のデフロスト換気を行っている熱交換器内で結露が発生することを抑制し、熱交換器のデフロストを短時間で行うことができるので、熱交換気の継続を確実に行うことができる。
【００３６】
また、請求項７に記載の熱交換形換気装置は、給気送風手段は熱交換器と室内給気口の間に備え、前記給気送風手段が給気流路から室外空気を吸込んで室内へ給気するように配置したものであり、給気送風手段は熱交換器と室内給気口の間に配置したため、室外がきわめて低い温度となる寒冷地で運転した場合、きわめて低い温度の室外空気は室内の温かい室内空気と熱交換して室内温度近くまで上昇した後に給気送風手段へ吸込まれるため、給気送風手段における結露の発生を抑制できるので、装置の信頼性を向上させることができる。また、きわめて低い温度の室外空気は室内空気と熱交換して室内温度近くまで上昇した後に給気送風手段へ吸込まれるため、給気送風手段の給気原動機の発熱によって更に温度を上昇させてから室内へ給気することができる。
【００３７】
また、請求項８に記載の熱交換形換気装置は、給気送風手段は羽根車と給気原動機を備え、熱交換気の運転よりデフロスト熱交換気の運転の場合に、前記給気原動機の回転数を上げるものであり、デフロスト熱交換気の運転を行っている場合は、熱交換器の給気流路の一部を塞いでいるため、熱交換気の運転を行っている場合よりも通気抵抗が増加するので、熱交換気の運転よりデフロスト熱交換気の運転の場合に、給気原動機の回転数を上げることにより、必要な換気量を得ることができる。
【００３８】
また、請求項９に記載の熱交換形換気装置は、排気送風手段は熱交換器と室内吸込口の間に備え、前記排気送風手段が排気流路へ室内空気を送込んで室外へ排気するように配置したものであり、排気送風手段は熱交換器と室内吸込口の間に配置したため、室外がきわめて低い温度となる寒冷地で運転した場合、排気送風手段は室内の温かい室内空気を吸込んで排気流路へ送込むため、排気送風手段における結露の発生を抑制できるので、装置の信頼性を向上させることができる。また、排気送風手段は排気流路へ室内空気を送込む構成のため、排気送風手段の排気原動機の発熱によって室内の温かい室内空気は更に温度を上昇した後に排気流路へ送込まれ、熱交換器で熱交換する室外空気に排気原動機の発熱を与えるので、室外空気の温度を更に上昇させてから室内へ給気することができる。
【００３９】
また、請求項１０に記載の熱交換形換気装置は、デフロスト熱交換気の運転の場合に、室外空気を吸込み、一部の室外空気は熱交換器の給気流路を通じ、その他の室外空気は前記熱交換器の前記給気流路を通じず、室内へ給気を行う給気送風手段および分配手段を備えたものであり、熱交換形換気装置は計画的な熱交換気の運転を行うためには、室外空気と室内空気の風量を同等にすることが望ましい。室外空気と室内空気の風量を同等にして室外がきわめて低い温度となる寒冷地においてデフロスト熱交換気の運転を行っている場合、熱交換器の給気流路の一部を塞いでいるため、排気流路より給気流路の風速が高くなり、排気流路で結露が起こりやすくなる。特に室外空気の温度が−２５℃以下のような極低温時には、分配手段により一部の室外空気は熱交換器の給気流路に通風し、その他の室外空気は熱交換器の給気流路に通風させないことで給気流路の風速を低下させ、排気流路で結露が発生することを抑制し、熱交換器のデフロストを短時間で行うことができるので、熱交換気の継続を確実に行うことができる。
【００４０】
また、請求項１１に記載の熱交換形換気装置は、分配手段は室外吸込口から熱交換器の給気流路を通じず給気送風手段へ連通するバイパス風路と、選択手段と室外吸込口の間に風向分配板を備え、前記風向分配板は前記バイパス風路との接続の切替えを行うものであり、分配手段はバイパス風路と風向分配板との接続により給気流路に室外空気を分配して供給することが容易にでき、簡単な構成で熱交換気の継続を確実に行うことができる。また、分配手段の風向分配板は選択手段と室外吸込口の間に配置しているため、室外がきわめて低い温度となる寒冷地で分配手段を使用しない場合、すなわち、バイパス風路を風向分配板で閉じている場合、バイパス風路はきわめて低い温度の室外空気と遮断ができ、バイパス風路と熱交換器が接触する面で結露が発生することを抑制し、熱交換器のデフロストを短時間で行うことができるので、熱交換気の継続を確実に行うことができる。
【００４１】
また、請求項１２に記載の熱交換形換気装置は、熱交換器は温度と湿度を交換する全熱交換器としたものであり、室外がきわめて低い温度となる寒冷地で運転した場合、きわめて低い温度ときわめて少ない湿度を含む室外空気は、室内の温かい湿度を含む室内空気によって熱交換して室内温度と室内湿度の近くまで空気の状態が変化し、室内の温かい湿度を含む室内空気は、きわめて低い温度ときわめて少ない湿度を含む室外空気によって熱交換して室外温度と室外湿度の近くまで空気の状態が変化するため、室内空気と室外空気は、熱交換器内で温度差と湿度差が大きい状態で接触することがないため、排気流路で結露し、氷結していくことの影響を受けにくくすることができる。すなわち、デフロスト熱交換気の運転時間が短縮でき、簡単な構成で本来の熱交換気の運転時間を長く継続することができる。
【００４２】
また、請求項１３に記載の熱交換形換気装置は、熱交換器は給気流路および排気流路の出入口にそれぞれ流入口と吐出口を備え、前記給気流路の前記流入口と前記排気流路の前記流入口とが離れているものであり、室外がきわめて低い温度となる寒冷地で運転した場合、室内の温かい湿度を含む室内空気が流入する排気流路の流入口と、きわめて低い温度の室外空気が流入する給気流路の流入口が離れた構成のため、室内空気と室外空気は、熱交換器内で温度差と湿度差が最も大きい状態で接触することがないため、排気流路で結露し、氷結していくことの影響を受けにくくすることができる。すなわち、デフロスト熱交換気の運転時間が短縮でき、簡単な構成で本来の熱交換気の運転時間を長く継続することができる。
【００４３】
また、請求項１４に記載の熱交換形換気装置は、熱交換器は給気流路を通風する室外空気と排気流路を通風する室内空気とが対向するものであり、熱交換器の一定容積内で直交流方式や並行流方式よりも熱交換効率を高くすることができる対向流方式により、熱交換器の熱交換効率を高くすることができるため、室外がきわめて低い温度となる寒冷地で運転した場合、排気流路で結露し、氷結していくことの影響を受けにくくすることができる。すなわち、デフロスト熱交換気の運転時間が短縮でき、簡単な構成で本来の熱交換気の運転時間を長く継続することができる。
【００４４】
以下、本発明の実施の形態について、図１〜図１０を参照しながら説明する。
【００４５】
（実施の形態１）
図１に示すように、熱交換形換気装置は本体箱１に、室外から室外空気を吸込む室外吸込口２と、室内へ室外空気を給気する室内給気口３と、室内から室内空気を吸込む室内吸込口４と、室外へ室内空気を排出する室外排出口５を備え、本体箱１内には、熱交換器７ａおよび熱交換器７ｂと、室外空気を吸込んで室内へ給気を行う給気送風手段８と、室内空気を吸込んで室外へ排気を行う排気送風手段９を備え、給気送風手段８は羽根車１０と給気原動機１１を備え、排気送風手段９は羽根車１０と排気原動機１２を備えた構成である。
【００４６】
本実施の形態１では、熱交換器は２つの熱交換器７ａおよび熱交換器７ｂを備えた構成を示す。図２および図３に示すように、熱交換器７ａは室外空気を通風させる給気流路１４ａと、室内空気を通風させる排気流路１５ａを備え、給気流路１４ａと排気流路１５ａとを交互に積層した構成である。また、熱交換器７ａは給気流路１４ａおよび排気流路１５ａの出入口にそれぞれ流入口１６ａと吐出口１７ａを備え、給気流路１４ａの流入口１６ａと排気流路１５ａの流入口１６ａとが離れた構成である。また、熱交換器７ａは、給気流路１４ａの流路および排気流路１５ａの流路は略Ｓ字状であり、給気流路１４ａを通風する室外空気と排気流路１５ａを通風する室内空気とが対向するような構成であり、温度と湿度を交換する全熱交換器である。同様に、熱交換器７ｂは室外空気を通風させる給気流路１４ｂと、室内空気を通風させる排気流路１５ｂを備え、給気流路１４ｂと排気流路１５ｂとを交互に積層した構成である。また、熱交換器７ｂは給気流路１４ｂおよび排気流路１５ｂの出入口にそれぞれ流入口１６ｂと吐出口１７ｂを備え、給気流路１４ｂの流入口１６ｂと排気流路１５ｂの流入口１６ｂとが離れた構成である。また、熱交換器７ｂは、給気流路１４ｂの流路および排気流路１５ｂの流路は略Ｓ字状であり、給気流路１４ｂを通風する室外空気と排気流路１５ｂを通風する室内空気とが対向するような構成であり、温度と湿度を交換する全熱交換器である。
【００４７】
また図１に示すように、給気送風手段８は熱交換器７ａおよび熱交換器７ｂと室内給気口３の間に備え、給気送風手段８が給気流路１４ａおよび給気流路１４ｂから室外空気を吸込んで室内へ給気するように配置した構成であり、排気送風手段９は熱交換器７ａおよび熱交換器７ｂと室内吸込口４の間に備え、排気送風手段９が排気流路１５ａおよび排気流路１５ｂへ室内空気を送込んで室外へ排気するように配置した構成である。
【００４８】
本実施の形態１では、選択手段は２つの選択手段１８ａおよび選択手段１８ｂを備え、熱交換器と室外吸込口の間に複数に分割した区画として、区画１９ａおよび区画１９ｂを備えた構成を示す。図１に示すように、本体箱１内には、熱交換器７ａの給気流路１４ａに室外空気を選択して供給する選択手段１８ａを備え、選択手段１８ａは給気流路１４ａに連通する風路内であって、熱交換器７ａと室外吸込口２の間に区画１９ａを備え、区画１９ａに風向調整板２０ａを備えた構成である。本実施の形態１では、風向調整板２０ａは回転することで、熱交換器７ａの給気流路１４ａと区画１９ａとの接続の切替えを行うものである。同様に、本体箱１内には、熱交換器７ｂの給気流路１４ｂに室外空気を選択して供給する選択手段１８ｂを備え、選択手段１８ｂは給気流路１４ｂに連通する風路内であって、熱交換器７ｂと室外吸込口２の間に区画１９ｂを備え、区画１９ｂに風向調整板２０ｂを備えた構成である。また、本実施の形態１では、風向調整板２０ｂは回転することで、熱交換器７ｂの給気流路１４ｂと区画１９ｂとの接続の切替えを行うものである。
【００４９】
図１に示すように、給気流路１４ａおよび給気流路１４ｂに連通する風路内であって、室外吸込口２と選択手段１８ａおよび選択手段１８ｂの間に、排気流２３ａの熱交換器７ａの下流側または排気流２３ｂの熱交換器７ｂの下流側における結露や凍結の状態を検出する結露検知手段２１ａを備え、排気流路１５ａおよび排気流路１５ｂに連通する風路内であって、室外排出口５と熱交換器７ａおよび熱交換器７ｂの間に、排気流２３ａの熱交換器７ａの下流側または排気流２３ｂの熱交換器７ｂの下流側における結露や凍結の状態を検出する結露検知手段２１ｂを備え、結露検知手段２１ａおよび結露検知手段２１ｂは例えば温度センサー、または湿度センサー、または圧力センサー、または結露センサーであって、結露検知手段２１ａおよび／または結露検知手段２１ｂの検出値に応じて、給気送風手段８および排気送風手段９（給気原動機１１および排気原動機１２の回転数）と、選択手段１８ａおよび選択手段１８ｂ（風向調整板２０ａおよび風向調整板２０ｂ）の制御を行い、デフロスト熱交換気および熱交換気の運転制御を行うものである。
【００５０】
上記のように構成された熱交換形換気装置の寒冷地における冬季の運転について以下に説明する。
【００５１】
冬季に室外空気の温度が、例えば−５℃以上の場合は、熱交換器７ａおよび熱交換器７ｂの排気流路１５ａおよび排気流路１５ｂで結露が起こりにくいため、熱交換器７ａおよび熱交換器７ｂの２つの熱交換器を用いて本来の熱交換気を継続する運転を行う。図１は熱交換気の運転を示す。給気送風手段８により室外吸込口２から室外空気を吸込み、熱交換器７ａの給気流路１４ａと室内給気口３とを連通させる給気流２２ａ（図中の実線矢印）と、排気送風手段９により室内吸込口４から室内空気を吸込み、熱交換器７ａの排気流路１５ａと室外排出口５とを連通させる排気流２３ａ（図中の破線矢印）と、給気送風手段８により室外吸込口２から室外空気を吸込み、熱交換器７ｂの給気流路１４ｂと室内給気口３とを連通させる給気流２２ｂ（図中の実線矢印）と、排気送風手段９により室内吸込口４から室内空気を吸込み、熱交換器７ｂの排気流路１５ｂと室外排出口５とを連通させる排気流２３ｂ（図中の破線矢印）がある。
【００５２】
すなわち、風向調整板２０ａは熱交換器７ａの給気流路１４ａと区画１９ａとを接続して、給気流路１４ａに室外空気を供給し、熱交換器７ａで給気流２２ａと排気流２３ａとで熱交換しながら換気をする熱交換気の運転を行う。また、風向調整板２０ｂも熱交換器７ｂの給気流路１４ｂと区画１９ｂとを接続して、給気流路１４ｂに室外空気を供給し、熱交換器７ｂで給気流２２ｂと排気流２３ｂとで熱交換しながら換気をする熱交換気の運転を行う。
【００５３】
また、例えば、室外空気の温度が−１５℃以下のようなきわめて低い温度の場合は、室内からの温かく湿気を含む室内空気が流れる熱交換器７ａの排気流路１５ａおよび熱交換器７ｂの排気流路１５ｂにおいて、隣接する給気流路１４ａおよび給気流路１４ｂに室外からの冷たい室外空気が流れることにより、結露や凍結が生じて目詰まりし、排気流路１５ａおよび排気流路１５ｂが塞がってしまうことがある。このために２つの熱交換器７ａおよび熱交換器７ｂを用いて、熱交換気と氷結の解消を行うデフロストの運転を順次切り換えるデフロスト熱交換気の運転を行う。図４はデフロスト熱交換気の運転を示す。給気送風手段８により室外吸込口２から室外空気を吸込み、熱交換器７ａの給気流路１４ａと室内給気口３とを連通させる給気流２２ａ（図中の実線矢印）と、排気送風手段９により室内吸込口４から室内空気を吸込み、熱交換器７ａの排気流路１５ａと室外排出口５とを連通させる排気流２３ａ（図中の破線矢印）と、排気送風手段９により室内吸込口４から室内空気を吸込み、熱交換器７ｂの排気流路１５ｂと室外排出口５とを連通させる排気流２３ｂ（図中の点線矢印）がある。
【００５４】
すなわち、風向調整板２０ａは熱交換器７ａの給気流路１４ａと区画１９ａとを接続して、給気流路１４ａに室外空気を供給し、熱交換器７ａで給気流２２ａと排気流２３ａとで熱交換しながら換気をする熱交換気の運転を行う。また、風向調整板２０ｂは熱交換器７ｂの給気流路１４ｂと区画１９ｂとを接続せず、給気流路１４ｂに室外空気の供給を遮断する。そして、熱交換器７ｂには室内からの温かい排気流２３ｂだけが通風され、排気流路１５ｂの結露や凍結を解消させるデフロストの運転を行う。したがって、デフロスト熱交換気の運転は熱交換気とデフロストの運転を同時に行うことができる。
【００５５】
また図４は、熱交換器７ａが熱交換気の運転を行い、熱交換器７ｂがデフロストの運転を行う構成を示しているが、熱交換器７ａで熱交換気の運転を継続すると熱交換器７ａの排気流路１５ａで結露や凍結が起こるため、熱交換器７ａと熱交換器７ｂとで熱交換気とデフロストを切替えて運転を行う（図示なし）。選択手段１８ａおよび選択手段１８ｂ、すなわち風向調整板２０ａおよび風向調整板２０ｂが給気流路１４ａおよび給気流路１４ｂと区画１９ａおよび区画１９ｂとの接続を順次切替えることにより、熱交換気とデフロストの運転を同時に継続できるデフロスト熱交換気を行うことができる。
【００５６】
上記の運転において、図１の熱交換気の運転より図４のデフロスト熱交換気の運転の場合に、給気原動機１１の回転数を上げる制御の構成とする。
【００５７】
また、例えば、室外空気の温度が−５℃から−１５℃の間の場合は、熱交換器７ａおよび熱交換器７ｂの排気流路１５ａおよび排気流路１５ｂでの結露や氷結を解消するため、熱交換気とデフロスト熱交換気を交互に切替える運転を行うことで、効率的な熱交換気とデフロストの運転ができる。すなわち、図１の熱交換気の運転と、図４のデフロスト熱交換気の運転を交互に切替える構成である。図１は熱交換器７ａおよび熱交換器７ｂの２つの熱交換器を用いて高効率な熱交換気を行い、図４は熱交換器７ａおよび熱交換器７ｂの２つの熱交換器を交互に用いて、熱交換気とデフロストの運転を同時に継続できるデフロスト熱交換気を行う。
【００５８】
なお、本実施の形態１では、デフロスト熱交換気と熱交換気の運転を行う一例として、  熱交換器７ａおよび熱交換器７ｂの２つ熱交換器と、選択手段１８ａおよび選択手段１８ｂの２つの選択手段と、区画１９ａおよび区画１９ｂの２つの区画と、風向調整板２０ａおよび風向調整板２０ｂの２つの風向調整板を備えた構成で説明したが、熱交換器の給気流路に室外空気を選択して供給する選択手段を備え、選択手段は熱交換器の給気流路の一部を順次塞ぎ、開口している熱交換器の給気流路に室外空気を供給するデフロスト熱交換気と、熱交換器の全ての給気流路に室外空気を供給する熱交換気の運転を行うことができれば良く、それぞれの構成要素は数に限定するものではない。
【００５９】
上記のように構成された熱交換形換気装置の作用と効果について、以下に説明する。
【００６０】
熱交換形換気装置は、熱交換器７ａおよび熱交換器７ｂの給気流路１４ａおよび給気流路１４ｂに室外空気を選択して供給する選択手段１８ａおよび選択手段１８ｂを備え、選択手段１８ａおよび選択手段１８ｂは熱交換器７ａおよび熱交換器７ｂの給気流路１４ａおよび給気流路１４ｂの一部（給気流路１４ａまたは給気流路１４ｂ）を順次塞ぎ、開口している熱交換器７ａおよび熱交換器７ｂの給気流路１４ａおよび給気流路１４ｂに室外空気を供給するデフロスト熱交換気と、熱交換器７ａおよび熱交換器７ｂの全ての給気流路１４ａおよび給気流路１４ｂに室外空気を供給する熱交換気を行い、給気流路１４ａおよび給気流路１４ｂに連通する風路内および／または排気流路１５ａおよび排気流路１５ｂに連通する風路内に、結露や凍結の状態を検知できる結露検知手段２１ａおよび結露検知手段２１ｂを備え、結露検知手段２１ａおよび／または結露検知手段２１ｂの検出値に応じて、デフロスト熱交換気および熱交換気の運転制御を行うものであり、室外がきわめて低い温度となる寒冷地で運転した場合、結露検知手段２１ａおよび／または結露検知手段２１ｂと選択手段１８ａおよび選択手段１８ｂによりデフロスト熱交換気および熱交換気の運転制御を行うため、簡単な構成で本来の熱交換気の運転を継続することができる。
【００６１】
すなわち、選択手段１８ａおよび選択手段１８ｂが熱交換器７ａおよび熱交換器７ｂの全ての給気流路１４ａおよび給気流路１４ｂに室外空気を供給している時は、本来の熱交換気を行う。そして、熱交換気を継続すると、室内の温かい湿度を含む室内空気ときわめて低い温度の室外空気が熱交換器７ａおよび熱交換器７ｂで熱交換する際に、室内空気は熱交換器７ａおよび熱交換器７ｂの排気流路１５ａおよび排気流路１５ｂで結露が起こり、氷結していく。この氷結を解消するため、選択手段１８ａおよび選択手段１８ｂが熱交換器７ａおよび熱交換器７ｂの給気流路１４ａおよび給気流路１４ｂの一部を塞いでいる部分は、熱交換器７ａおよび熱交換器７ｂに室内空気だけが供給され排気流路の氷を融解するデフロストを行う。
【００６２】
一方、選択手段１８ａおよび選択手段１８ｂが熱交換器７ａおよび熱交換器７ｂの給気流路１４ａおよび給気流路１４ｂを塞いでいない熱交換器７ａおよび熱交換器７ｂの給気流路１４ａおよび給気流路１４ｂの開口部分は、室外空気が供給され、室外空気と室内空気とで熱交換気を行う。選択手段１８ａおよび選択手段１８ｂが熱交換器７ａおよび熱交換器７ｂの給気流路１４ａおよび給気流路１４ｂの一部を順次塞ぐことにより、簡単な構成で熱交換気とデフロストの運転を同時に継続できるデフロスト熱交換気が実現できる。
【００６３】
また、結露検知手段２１ａおよび／または結露検知手段２１ｂの検出値に応じて、熱交換気を継続する運転と、デフロスト熱交換気を継続する運転と、熱交換気とデフロスト熱交換気を交互に切替える運転の制御を行うものであり、結露検知手段２１ａの検出値が、例えば室外空気の温度が−５℃以上の場合は、熱交換器７ａおよび熱交換器７ｂの排気流路１５ａおよび排気流路１５ｂで結露が起こりにくいため、本来の熱交換気を継続する運転を行い、室外空気の温度が−１５℃以下の場合は、熱交換器７ａおよび熱交換器７ｂの排気流路１５ａおよび排気流路１５ｂで結露や氷結が起こりやすいため、氷結の解消を促進するデフロスト熱交換気を継続する運転を行い、室外空気の温度が−５℃から−１５℃の間の場合は、熱交換器７ａおよび熱交換器７ｂの排気流路１５ａおよび排気流路１５ｂでの結露や氷結を解消するため、熱交換気とデフロスト熱交換気を交互に切替える運転を行うことで、効率的な熱交換気とデフロストの運転制御ができる。
【００６４】
また、選択手段１８ａおよび選択手段１８ｂは給気流路１４ａおよび給気流路１４ｂに連通する風路内であって、熱交換器７ａおよび熱交換器７ｂと室外吸込口２の間に複数に分割した区画１９ａおよび区画１９ｂと、区画１９ａおよび区画１９ｂに風向調整板２０ａおよび風向調整板２０ｂを備えたものであり、選択手段１８ａおよび選択手段１８ｂは区画１９ａおよび区画１９ｂと風向調整板２０ａおよび風向調整板２０ｂとの接続により給気流路１４ａおよび給気流路１４ｂに室外空気を選択して供給することが容易にでき、簡単な構成で熱交換気の継続を確実に行うことができる。また、選択手段１８ａおよび選択手段１８ｂは熱交換器７ａおよび熱交換器７ｂと室外吸込口２の間に配置しているため、室外がきわめて低い温度となる寒冷地で運転した場合、デフロスト熱交換気を行っている熱交換器７ａおよび熱交換器７ｂの給気流路１４ａおよび給気流路１４ｂは、きわめて低い温度の室外空気と遮断ができ、熱交換器７ａおよび熱交換器７ｂのデフロスト換気を行っている熱交換器７ａおよび熱交換器７ｂ内で結露が発生することを抑制し、熱交換器７ａおよび熱交換器７ｂのデフロストを短時間で行うことができるので、熱交換気の継続を確実に行うことができる。
【００６５】
また、風向調整板２０ａおよび風向調整板２０ｂは回転することで、熱交換器７ａおよび熱交換器７ｂと区画１９ａおよび区画１９ｂとの接続の切替えを行うものであり、風向調整板２０ａおよび風向調整板２０ｂの回転だけで区画１９ａおよび区画１９ｂとの接続の切替えができ、給気流路１４ａおよび給気流路１４ｂに室外空気を選択して供給することが容易にでき、簡単な構成で熱交換気の継続を確実に行うことができる。
【００６６】
また、給気送風手段８は熱交換器７ａおよび熱交換器７ｂと室内給気口３の間に備え、給気送風手段８が給気流路１４ａおよび給気流路１４ｂから室外空気を吸込んで室内へ給気するように配置したものであり、給気送風手段８は熱交換器７ａおよび熱交換器７ｂと室内給気口３の間に配置したため、室外がきわめて低い温度となる寒冷地で運転した場合、きわめて低い温度の室外空気は室内の温かい室内空気と熱交換して室内温度近くまで上昇した後に給気送風手段８へ吸込まれるため、給気送風手段８における結露の発生を抑制できるので、装置の信頼性を向上させることができる。また、きわめて低い温度の室外空気は室内空気と熱交換して室内温度近くまで上昇した後に給気送風手段８へ吸込まれるため、給気送風手段８の給気原動機１１の発熱によって更に温度を上昇させてから室内へ給気することができる。
【００６７】
また、給気送風手段８は羽根車１０と給気原動機１１を備え、熱交換気の運転よりデフロスト熱交換気の運転の場合に、給気原動機１１の回転数を上げるものであり、デフロスト熱交換気の運転を行っている場合は、熱交換器７ａおよび熱交換器７ｂの給気流路１４ａおよび給気流路１４ｂの一部を塞いでいるため、熱交換気の運転を行っている場合よりも通気抵抗が増加するので、熱交換気の運転よりデフロスト熱交換気の運転の場合に、給気原動機１１の回転数を上げることにより、必要な換気量を得ることができる。
【００６８】
また、排気送風手段９は熱交換器７ａおよび熱交換器７ｂと室内吸込口４の間に備え、排気送風手段９が排気流路１５ａおよび排気流路１５ｂへ室内空気を送込んで室外へ排気するように配置したものであり、排気送風手段９は熱交換器７ａおよび熱交換器７ｂと室内吸込口４の間に配置したため、室外がきわめて低い温度となる寒冷地で運転した場合、排気送風手段９は室内の温かい室内空気を吸込んで排気流路１５ａおよび排気流路１５ｂへ送込むため、排気送風手段９における結露の発生を抑制できるので、装置の信頼性を向上させることができる。また、排気送風手段９は排気流路１５ａおよび排気流路１５ｂへ室内空気を送込む構成のため、排気送風手段９の排気原動機１２の発熱によって室内の温かい室内空気は更に温度を上昇した後に排気流路１５ａおよび排気流路１５ｂへ送込まれ、熱交換器７ａおよび熱交換器７ｂで熱交換する室外空気に排気原動機１２の発熱を与えるので、室外空気の温度を更に上昇させてから室内へ給気することができる。
【００６９】
また、熱交換器７ａおよび熱交換器７ｂは温度と湿度を交換する全熱交換器としたものであり、室外がきわめて低い温度となる寒冷地で運転した場合、きわめて低い温度ときわめて少ない湿度を含む室外空気は、室内の温かい湿度を含む室内空気によって熱交換して室内温度と室内湿度の近くまで空気の状態が変化し、室内の温かい湿度を含む室内空気は、きわめて低い温度ときわめて少ない湿度を含む室外空気によって熱交換して室外温度と室外湿度の近くまで空気の状態が変化するため、室内空気と室外空気は、熱交換器７ａおよび熱交換器７ｂ内で温度差と湿度差が大きい状態で接触することがないため、排気流路で結露し、氷結していくことの影響を受けにくくすることができる。すなわち、デフロスト熱交換気の運転時間が短縮でき、簡単な構成で本来の熱交換気の運転時間を長く継続することができる。
【００７０】
また、熱交換器７ａおよび熱交換器７ｂは給気流路１４ａおよび給気流路１４ｂと排気流路１５ａおよび排気流路１５ｂの出入口にそれぞれ流入口１６ａおよび流入口１６ｂと吐出口１７ａおよび吐出口１７ｂを備え、給気流路１４ａの流入口１６ａと排気流路１５ａの流入口１６ａとが離れ、給気流路１４ｂの流入口１６ｂと排気流路１５ｂの流入口１６ｂとが離れているものであり、室外がきわめて低い温度となる寒冷地で運転した場合、室内の温かい湿度を含む室内空気が流入する排気流路１５ａおよび排気流路１５ｂの流入口１６ａおよび流入口１６ｂと、きわめて低い温度の室外空気が流入する給気流路１４ａおよび給気流路１４ｂの流入口１６ａおよび流入口１６ｂが離れた構成のため、室内空気と室外空気は、熱交換器７ａおよび熱交換器７ｂ内で温度差と湿度差が最も大きい状態で接触することがないため、排気流路１５ａおよび排気流路１５ｂで結露し、氷結していくことの影響を受けにくくすることができる。すなわち、デフロスト熱交換気の運転時間が短縮でき、簡単な構成で本来の熱交換気の運転時間を長く継続することができる。
【００７１】
また、熱交換器７ａおよび熱交換器７ｂは給気流路１４ａおよび給気流路１４ｂを通風する室外空気と排気流路１５ａおよび排気流路１５ｂを通風する室内空気とが対向するものであり、熱交換器７ａおよび熱交換器７ｂの一定容積内で直交流方式や並行流方式よりも熱交換効率を高くすることができる対向流方式により、熱交換器７ａおよび熱交換器７ｂの熱交換効率を高くすることができるため、室外がきわめて低い温度となる寒冷地で運転した場合、排気流路１５ａおよび排気流路１５ｂで結露し、氷結していくことの影響を受けにくくすることができる。すなわち、デフロスト熱交換気の運転時間が短縮でき、簡単な構成で本来の熱交換気の運転時間を長く継続することができる。
【００７２】
（実施の形態２）
実施の形態１と同一部分は同一番号を附し、詳細な説明は省略する。
【００７３】
本実施の形態２は図５に示すように、熱交換形換気装置は本体箱１内に、選択手段は２つの選択手段１８ａおよび選択手段１８ｂを備え、選択手段１８ａおよび選択手段１８ｂは区画１９ａおよび区画１９ｂを備え、区画１９ａおよび区画１９ｂに風向調整板２０ｃを備えた構成である。本実施の形態２では、風向調整板２０ｃは移動することで、熱交換器７ａの給気流路１４ａと区画１９ａとの接続の切替えおよび熱交換器７ｂの給気流路１４ｂと区画１９ｂとの接続の切替えを行うものである。
【００７４】
また、熱交換形換気装置は結露検知手段２１ａおよび／または結露検知手段２１ｂの検出値に応じて、給気送風手段８および排気送風手段９（給気原動機１１および排気原動機１２の回転数）と、選択手段１８ａおよび選択手段１８ｂ（風向調整板２０ｃ）の制御を行い、デフロスト熱交換気および熱交換気の運転制御を行うものである。
【００７５】
上記のように構成された熱交換形換気装置の寒冷地における冬季の運転について以下に説明する。
【００７６】
冬季に室外空気の温度が、例えば−５℃以上の場合は、熱交換器７ａおよび熱交換器７ｂの排気流路１５ａおよび排気流路１５ｂで結露が起こりにくいため、熱交換器７ａおよび熱交換器７ｂの２つの熱交換器を用いて本来の熱交換気を継続する運転を行う。図５は熱交換気の運転を示す。給気送風手段８により室外吸込口２から室外空気を吸込み、熱交換器７ａの給気流路１４ａと室内給気口３とを連通させる給気流２２ａ（図中の実線矢印）と、排気送風手段９により室内吸込口４から室内空気を吸込み、熱交換器７ａの排気流路１５ａと室外排出口５とを連通させる排気流２３ａ（図中の破線矢印）と、給気送風手段８により室外吸込口２から室外空気を吸込み、熱交換器７ｂの給気流路１４ｂと室内給気口３とを連通させる給気流２２ｂ（図中の実線矢印）と、排気送風手段９により室内吸込口４から室内空気を吸込み、熱交換器７ｂの排気流路１５ｂと室外排出口５とを連通させる排気流２３ｂ（図中の破線矢印）がある。
【００７７】
すなわち、風向調整板２０ｃは熱交換器７ａの給気流路１４ａと区画１９ａとを接続して、給気流路１４ａに室外空気を供給し、熱交換器７ａで給気流２２ａと排気流２３ａとで熱交換しながら換気をする熱交換気の運転を行う。また、風向調整板２０ｃは熱交換器７ｂの給気流路１４ｂと区画１９ｂとを接続して、給気流路１４ｂに室外空気を供給し、熱交換器７ｂで給気流２２ｂと排気流２３ｂとで熱交換しながら換気をする熱交換気の運転を行う。
【００７８】
また、例えば、室外空気の温度が−１５℃以下のようなきわめて低い温度の場合は、室内からの温かく湿気を含む室内空気が流れる熱交換器７ａの排気流路１５ａおよび熱交換器７ｂの排気流路１５ｂにおいて、隣接する給気流路１４ａおよび給気流路１４ｂに室外からの冷たい室外空気が流れることにより、結露や凍結が生じて目詰まりし、排気流路１５ａおよび排気流路１５ｂが塞がってしまうことがある。このために２つの熱交換器７ａおよび熱交換器７ｂを用いて、熱交換気と氷結の解消を行うデフロストの運転を順次切り換えるデフロスト熱交換気の運転を行う。図６はデフロスト熱交換気の運転を示す。給気送風手段８により室外吸込口２から室外空気を吸込み、熱交換器７ａの給気流路１４ａと室内給気口３とを連通させる給気流２２ａ（図中の実線矢印）と、排気送風手段９により室内吸込口４から室内空気を吸込み、熱交換器７ａの排気流路１５ａと室外排出口５とを連通させる排気流２３ａ（図中の破線矢印）と、排気送風手段９により室内吸込口４から室内空気を吸込み、熱交換器７ｂの排気流路１５ｂと室外排出口５とを連通させる排気流２３ｂ（図中の点線矢印）がある。
【００７９】
すなわち、風向調整板２０ｃは熱交換器７ａの給気流路１４ａと区画１９ａとを接続して、給気流路１４ａに室外空気を供給し、熱交換器７ａで給気流２２ａと排気流２３ａとで熱交換しながら換気をする熱交換気の運転を行う。また、風向調整板２０ｃは熱交換器７ｂの給気流路１４ｂと区画１９ｂとを接続せず、給気流路１４ｂに室外空気の供給を遮断する。そして、熱交換器７ｂには室内からの温かい排気流２３ｂだけが通風され、排気流路１５ｂの結露や凍結を解消させるデフロストの運転を行う。したがって、デフロスト熱交換気の運転は熱交換気とデフロストの運転を同時に行うことができる。
【００８０】
また図６は、熱交換器７ａが熱交換気の運転を行い、熱交換器７ｂがデフロストの運転を行う構成を示しているが、熱交換器７ａで熱交換気の運転を継続すると熱交換器７ａの排気流路１５ａで結露や凍結が起こるため、熱交換器７ａと熱交換器７ｂとで熱交換気とデフロストを切替えて運転を行う（図面なし）。選択手段１８ａおよび選択手段１８ｂ、すなわち風向調整板２０ｃが給気流路１４ａおよび給気流路１４ｂと区画１９ａおよび区画１９ｂとの接続を順次切替えることにより、熱交換気とデフロストの運転を同時に継続できるデフロスト熱交換気を行うことができる。
【００８１】
なお、本実施の形態２では、デフロスト熱交換気と熱交換気の運転を行う一例として、  熱交換器７ａおよび熱交換器７ｂの２つ熱交換器と、選択手段１８ａおよび選択手段１８ｂの２つの選択手段と、区画１９ａおよび区画１９ｂの２つの区画と、風向調整板２０ｃの１つの風向調整板を備えた構成で説明したが、熱交換器の給気流路に室外空気を選択して供給する選択手段を備え、選択手段は熱交換器の給気流路の一部を順次塞ぎ、開口している熱交換器の給気流路に室外空気を供給するデフロスト熱交換気と、熱交換器の全ての給気流路に室外空気を供給する熱交換気の運転を行うことができれば良く、それぞれの構成要素は数に限定するものではない。
【００８２】
上記のように構成された熱交換形換気装置の作用と効果について、以下に説明する。
【００８３】
風向調整板２０ｃは移動することで、熱交換器７ａおよび熱交換器７ｂと区画１９ａおよび区画１９ｂとの接続の切替えを行うものであり、風向調整板２０ｃの移動だけで区画１９ａおよび区画１９ｂとの接続の切替えができ、給気流路１４ａおよび給気流路１４ｂに室外空気を選択して供給することが容易にでき、簡単な構成で熱交換気の継続を確実に行うことができる。
【００８４】
（実施の形態３）
実施の形態１または２と同一部分は同一番号を附し、詳細な説明は省略する。
【００８５】
本発明の実施の形態３は図７に示すように、熱交換形換気装置は本体箱１内に、熱交換器７ｃを備えた構成である。本実施の形態３の熱交換器７ｃは実施の形態１および２の熱交換器７ａおよび熱交換器７ｂと同様の構成であり、１つの熱交換器で構成されている。熱交換器７ｃは室外空気を通風させる給気流路１４ｃと、室内空気を通風させる排気流路１５ｃを備え、給気流路１４ｃと排気流路１５ｃとを交互に積層した構成である。また、熱交換器７ｃは給気流路１４ｃおよび排気流路１５ｃの出入口にそれぞれ流入口１６ｃと吐出口１７ｃを備え、給気流路１４ｃの流入口１６ｃと排気流路１５ｃの流入口１６ｃとが離れた構成である。
【００８６】
また図７に示すように、給気送風手段８は熱交換器７ｃと室内給気口３の間に備え、給気送風手段８が給気流路１４ｃから室外空気を吸込んで室内へ給気するように配置した構成であり、排気送風手段９は熱交換器７ｃと室内吸込口４の間に備え、排気送風手段９が排気流路１５ｃへ室内空気を送込んで室外へ排気するように配置した構成である。
【００８７】
また本体箱１内に、選択手段１８ｃを備え、選択手段１８ｃは熱交換器７ｃの室外吸込口２側の流入口１６ｃの一部を塞ぐ風向移動板２４を備えた構成である。本実施の形態３では、風向移動板２４は熱交換器７ｃの流入口１６ｃを移動することで、熱交換器７ｃの給気流路１４ｃに室外空気を供給する切替えを行うものである。
【００８８】
また、熱交換形換気装置は結露検知手段２１ａおよび／または結露検知手段２１ｂの検出値に応じて、給気送風手段８および排気送風手段９（給気原動機１１および排気原動機１２の回転数）と、選択手段１８ｃ（風向移動板２４）の制御を行い、デフロスト熱交換気および熱交換気の運転制御を行うものである。
【００８９】
上記のように構成された熱交換形換気装置の寒冷地における冬季の運転について以下に説明する。
【００９０】
冬季に室外空気の温度が、例えば−５℃以上の場合は、熱交換器７ｃの排気流路１５ｃで結露が起こりにくいため、熱交換器７ｃの全面の熱交換器を用いて本来の熱交換気を継続する運転を行う。図７は熱交換気の運転を示す。給気送風手段８により室外吸込口２から室外空気を吸込み、熱交換器７ｃの給気流路１４ｃと室内給気口３とを連通させる給気流２２ｃ（図中の実線矢印）と、排気送風手段９により室内吸込口４から室内空気を吸込み、熱交換器７ｃの排気流路１５ｃと室外排出口５とを連通させる排気流２３ｃ（図中の破線矢印）がある。
【００９１】
すなわち、風向移動板２４は熱交換器７ｃの全ての給気流路１４ｃと接続して、給気流路１４ｃに室外空気を供給し、熱交換器７ｃで給気流２２ｃと排気流２３ｃとで熱交換しながら換気をする熱交換気の運転を行う。
【００９２】
また、例えば、室外空気の温度が−１５℃以下のようなきわめて低い温度の場合は、室内からの温かく湿気を含む室内空気が流れる熱交換器７ｃの排気流路１５ｃにおいて、隣接する給気流路１４ｃに室外からの冷たい室外空気が流れることにより、結露や凍結が生じて目詰まりし、排気流路１５ｃが塞がってしまうことがある。このために熱交換器７ｃを用いて、熱交換気と氷結の解消を行うデフロストの運転を順次切り換えるデフロスト熱交換気の運転を行う。図８はデフロスト熱交換気の運転を示す。給気送風手段８により室外吸込口２から室外空気を吸込み、熱交換器７ｃの給気流路１４ｃと室内給気口３とを連通させる給気流２２ｃ（図中の実線矢印）と、排気送風手段９により室内吸込口４から室内空気を吸込み、熱交換器７ｃの排気流路１５ｃと室外排出口５とを連通させる排気流２３ｃ（図中の破線矢印）と、排気送風手段９により室内吸込口４から室内空気を吸込み、熱交換器７ｃの排気流路１５ｃと室外排出口５とを連通させる排気流２３ｄ（図中の点線矢印）がある。
【００９３】
すなわち、風向移動板２４は熱交換器７ｃの室外吸込口２側の流入口１６ｃの一部を塞ぐことにより、流入口１６ｃが塞がれていない給気流路１４ｃには室外空気が供給され、熱交換器７ａで給気流２２ｃと排気流２３ｃとで熱交換しながら換気をする熱交換気の運転を行う。また、流入口１６ｃが塞がれている給気流路１４ｃには室外空気の供給が遮断される。そして、熱交換器７ｃには室内からの温かい排気流２３ｄだけが通風され、排気流路１５ｃの結露や凍結を解消させるデフロストの運転を行う。したがって、デフロスト熱交換気の運転は熱交換気とデフロストの運転を同時に行うことができる。
【００９４】
また図８は、風向移動板２４が熱交換器７ｃの流入口１６ｃの一部を塞いでいる部分の熱交換器７ｃはデフロストの運転を行い、塞いでいない部分の熱交換器７ｃは熱交換気の運転を行う構成を示しているが、この状態で一定時間運転を継続すると熱交換気の運転を行っている熱交換器７ｃの排気流路１５ｃで結露や凍結が起こるため、風向移動板２４が熱交換器７ｃの流入口１６ｃを順次移動することで熱交換気とデフロストを切替えて運転を行う。選択手段１８ｃ、すなわち風向移動板２４が熱交換器７ｃの流入口１６ｃを順次移動して流入口１６ｃの一部を塞ぐことにより、熱交換気とデフロストの運転を同時に継続できるデフロスト熱交換気を行うことができる。
【００９５】
上記のように構成された熱交換形換気装置の作用と効果について、以下に説明する。
【００９６】
選択手段１８ｃは熱交換器７ｃの室外吸込口２側の流入口１６ｃの一部を塞ぐ風向移動板２４を備え、風向移動板２４は熱交換器７ｃの流入口１６ｃを移動するものであり、風向移動板２４が熱交換器７ｃの流入口１６ｃの一部を塞いでいる部分はデフロスト熱交換気が行われ、熱交換器７ｃの流入口１６ｃを塞いでいない部分は熱交換気が行われ、風向移動板２４が順次移動することにより、デフロスト熱交換気と熱交換気が熱交換器７ｃの内部で順次場所を変えて行うことができるので、選択手段１８ｃは給気流路１４ｃに室外空気を選択して供給することが容易にでき、簡単な構成で熱交換気の継続を確実に行うことができる。また、選択手段１８ｃの風向移動板２４は熱交換器７ｃの室外吸込口２側に配置しているため、室外がきわめて低い温度となる寒冷地で運転した場合、デフロスト熱交換気を行っている熱交換器７ｃの給気流路１４ｃは、きわめて低い温度の室外空気と遮断ができ、熱交換器７ｃのデフロスト換気を行っている熱交換器７ｃ内で結露が発生することを抑制し、熱交換器７ｃのデフロストを短時間で行うことができるので、熱交換気の継続を確実に行うことができる。
【００９７】
（実施の形態４）
実施の形態１乃至３と同一部分は同一番号を附し、詳細な説明は省略する。
【００９８】
本発明の実施の形態４は図９に示すように、実施の形態１の構成に分配手段２５を備えた構成である。分配手段２５はバイパス風路２６と風向分配板２７を備え、バイパス風路２６は室外吸込口２から熱交換器７ａおよび熱交換器７ｂの給気流路１４ａおよび給気流路１４ｂを通じず給気送風手段８へ連通する構成であり、風向分配板２７は選択手段１８ａおよび選択手段１８ｂと室外吸込口２の間に配置し、風向分配板２７はバイパス風路２６との接続の切替えを行う構成である。
【００９９】
また、デフロスト熱交換気の運転の場合で、分配手段２５を用いている時の給気送風手段８は、室外空気を吸込み、一部の室外空気は熱交換器７ａおよび熱交換器７ｂの給気流路１４ａおよび給気流路１４ｂを通じて室内へ給気し、その他の室外空気はバイパス風路２６を通じて室内へ給気を行う構成とする。
【０１００】
また、熱交換形換気装置は結露検知手段２１ａおよび／または結露検知手段２１ｂの検出値に応じて、給気送風手段８および排気送風手段９（給気原動機１１および排気原動機１２の回転数）と、選択手段１８ａおよび選択手段１８ｂ（風向調整板２０ａおよび風向調整板２０ｂ）と、分配手段２５（風向分配板２７）の制御を行い、デフロスト熱交換気および熱交換気の運転制御を行うものである。
【０１０１】
上記のように構成された熱交換形換気装置の寒冷地における冬季の運転について以下に説明する。
【０１０２】
冬季に室外空気の温度が、例えば−５℃以上の場合、−１５℃以下の場合は、実施の形態１と同様であり説明は省略する。なお、図９の熱交換気の運転を行っている場合は、風向分配板２７はバイパス風路２６と接続せず、室外空気はバイパス風路２６には通風されず、室外空気は熱交換器７ａおよび熱交換器７ｂの給気流路１４ａおよび給気流路１４ｂに通風される。
【０１０３】
また、例えば、室外空気の温度が−２５℃以下のようなきわめて低い温度の場合は、室内からの温かく湿気を含む室内空気が流れる熱交換器７ａの排気流路１５ａおよび熱交換器７ｂの排気流路１５ｂにおいて、隣接する給気流路１４ａおよび給気流路１４ｂに室外からの冷たい室外空気が流れることにより、結露や凍結が生じて目詰まりし、室外空気の温度が−１５℃程度に比べて排気流路１５ａおよび排気流路１５ｂは塞がりやすくなる。このために２つの熱交換器７ａおよび熱交換器７ｂを用いて、熱交換気とデフロスト熱交換気の運転を行う時に、熱交換気の運転での結露の発生を抑制することで、熱交換器７ａおよび熱交換器７ｂのデフロストを短時間で行うことができるので、熱交換気の継続を確実に行うことができる。図１０はデフロスト熱交換気の運転を示す。給気送風手段８により室外吸込口２から室外空気を吸込み、熱交換器７ａの給気流路１４ａと室内給気口３とを連通させる給気流２２ａ（図中の実線矢印）と、給気送風手段８により室外吸込口２から室外空気を吸込み、バイパス風路２６を通じて室内給気口３とを連通させるバイパス流２８（図中の一点鎖線矢印）と、排気送風手段９により室内吸込口４から室内空気を吸込み、熱交換器７ａの排気流路１５ａと室外排出口５とを連通させる排気流２３ａ（図中の破線矢印）と、排気送風手段９により室内吸込口４から室内空気を吸込み、熱交換器７ｂの排気流路１５ｂと室外排出口５とを連通させる排気流２３ｂ（図中の点線矢印）がある。
【０１０４】
すなわち、風向調整板２０ａは熱交換器７ａの給気流路１４ａと区画１９ａとを接続して、給気流路１４ａに室外空気の一部を供給し、熱交換器７ａで給気流２２ａと排気流２３ａとで熱交換しながら換気をする熱交換気の運転を行う。また、風向調整板２０ｂは熱交換器７ｂの給気流路１４ｂと区画１９ｂとを接続せず、給気流路１４ｂに室外空気の供給を遮断する。そして、熱交換器７ｂには室内からの温かい排気流２３ｂだけが通風され、排気流路１５ｂの結露や凍結を解消させるデフロストの運転を行う。また、風向分配板２７はバイパス風路２６と接続して、室外空気の一部をバイパス流２８としてバイパス風路２６を通じて室内へ給気する。
【０１０５】
ここで、熱交換形換気装置は計画的な熱交換気の運転を行うためには、室外空気と室内空気の風量を同等にすることが望ましい。室外空気と室内空気の風量を同等にして室外がきわめて低い温度となる寒冷地においてデフロスト熱交換気の運転を行っている場合、図１０は熱交換器７ｂの給気流路１４ｂを塞いでいるため、熱交換器７ａの排気流路１５ａより給気流路１４ａの風速が高くなり、排気流路１５ａで結露が起こりやすくなる。したがって、室外空気の一部をバイパス流２８としてバイパス風路２６に通風し、熱交換器７ａの給気流路１４ａの風速を低下させることにより、排気流路１５ａで結露が発生することを抑制するとともに、熱交換気とデフロストの運転を同時に行うことができる。
【０１０６】
また図１０は、熱交換器７ａが熱交換気の運転を行い、熱交換器７ｂがデフロストの運転を行う構成を示しているが、熱交換器７ａで熱交換気の運転を継続すると熱交換器７ａの排気流路１５ａで結露や凍結が起こるため、熱交換器７ａと熱交換器７ｂとで熱交換気とデフロストを切替えて運転を行う（図面なし）。選択手段１８ａおよび選択手段１８ｂ、すなわち風向調整板２０ａおよび風向調整板２０ｂが給気流路１４ａおよび給気流路１４ｂと区画１９ａおよび区画１９ｂとの接続を順次切替えることにより、熱交換気とデフロストの運転を同時に継続できるデフロスト熱交換気を行うことができる。
【０１０７】
なお、本実施の形態４では、実施の形態１の構成に分配手段２５を備えた構成で説明したが、実施の形態２および実施の形態３の構成でも良く、熱交換形換気装置の本体箱１内に分配手段２５を備え、デフロスト熱交換気の運転の場合に、室外空気を吸込み、一部の室外空気は熱交換器の給気流路を通じ、その他の室外空気は熱交換器の給気流路を通じず、室内へ給気を行う給気送風手段および分配手段を備えた構成であれば良い。
【０１０８】
上記のように構成された熱交換形換気装置の作用と効果について、以下に説明する。
【０１０９】
デフロスト熱交換気の運転の場合に、室外空気を吸込み、一部の室外空気は熱交換器７ａおよび熱交換器７ｂの給気流路１４ａおよび給気流路１４ｂを通じ、その他の室外空気は熱交換器７ａおよび熱交換器７ｂの給気流路１４ａおよび給気流路１４ｂを通じず、室内へ給気を行う給気送風手段８および分配手段２５を備えたものであり、熱交換形換気装置は計画的な熱交換気の運転を行うためには、室外空気と室内空気の風量を同等にすることが望ましい。室外空気と室内空気の風量を同等にして室外がきわめて低い温度となる寒冷地においてデフロスト熱交換気の運転を行っている場合、熱交換器７ａおよび熱交換器７ｂの給気流路１４ａおよび給気流路１４ｂの一部を塞いでいるため、排気流路１５ａおよび排気流路１５ｂより給気流路１４ａおよび給気流路１４ｂの風速が高くなり、排気流路１５ａおよび排気流路１５ｂで結露が起こりやすくなる。特に室外空気の温度が−２５℃以下のような極低温時には、一部の室外空気は熱交換器７ａおよび熱交換器７ｂの給気流路１４ａおよび給気流路１４ｂに通風し、その他の室外空気は熱交換器７ａおよび熱交換器７ｂの給気流路１４ａおよび給気流路１４ｂに通風させないことで給気流路１４ａおよび給気流路１４ｂの風速を低下させ、排気流路１５ａおよび排気流路１５ｂで結露が発生することを抑制し、熱交換器７ａおよび熱交換器７ｂのデフロストを短時間で行うことができるので、熱交換気の継続を確実に行うことができる。
【０１１０】
また、分配手段２５は室外吸込口２から熱交換器７ａおよび熱交換器７ｂの給気流路１４ａおよび給気流路１４ｂを通じず給気送風手段８へ連通するバイパス風路２６と、選択手段１８ａおよび選択手段１８ｂと室外吸込口２の間に風向分配板２７を備え、風向分配板２７はバイパス風路２６との接続の切替えを行うものであり、分配手段２５はバイパス風路２６と風向分配板２７との接続により給気流路１４ａおよび給気流路１４ｂに室外空気を分配して供給することが容易にでき、簡単な構成で熱交換気の継続を確実に行うことができる。また、分配手段２５の風向分配板２７は選択手段１８ａおよび選択手段１８ｂと室外吸込口２の間に配置しているため、室外がきわめて低い温度となる寒冷地で分配手段２５を使用しない場合、すなわち、バイパス風路２６を風向分配板２７で閉じている場合、バイパス風路２６はきわめて低い温度の室外空気と遮断ができ、バイパス風路２６と熱交換器７ａおよび熱交換器７ｂが接触する面で結露が発生することを抑制し、熱交換器７ａおよび熱交換器７ｂのデフロストを短時間で行うことができるので、熱交換気の継続を確実に行うことができる。
【産業上の利用可能性】
【０１１１】
本発明に係る熱交換形換気装置は、室外がきわめて低い温度であっても、本来の熱交換気を継続して行うことができる熱交換形換気装置であって、寒冷地の冬季に熱交換気する換気装置として有用である。
【符号の説明】
【０１１２】
１      本体箱
２      室外吸込口
３      室内給気口
４      室内吸込口
５      室外排出口
７ａ    熱交換器
７ｂ    熱交換器
７ｃ    熱交換器
８      給気送風手段
９      排気送風手段
１０    羽根車
１１    給気原動機
１２    排気原動機
１４ａ  給気流路
１４ｂ  給気流路
１４ｃ  給気流路
１５ａ  排気流路
１５ｂ  排気流路
１５ｃ  排気流路
１６ａ  流入口
１６ｂ  流入口
１６ｃ  流入口
１７ａ  吐出口
１７ｂ  吐出口
１７ｃ  吐出口
１８ａ  選択手段
１８ｂ  選択手段
１８ｃ  選択手段
１９ａ  区画
１９ｂ  区画
２０ａ  風向調整板
２０ｂ  風向調整板
２０ｃ  風向調整板
２１ａ  結露検知手段
２１ｂ  結露検知手段
２２ａ  給気流
２２ｂ  給気流
２２ｃ  給気流
２３ａ  排気流
２３ｂ  排気流
２３ｃ  排気流
２３ｄ  排気流
２４    風向移動板
２５    分配手段
２６    バイパス風路
２７    風向分配板
２８    バイパス流
【図１】
2011202814.tif 000003
【図２】
2011202814.tif 000004
【図３】
2011202814.tif 000005
【図４】
2011202814.tif 000006
【図５】
2011202814.tif 000007
【図６】
2011202814.tif 000008
【図７】
2011202814.tif 000009
【図８】
2011202814.tif 000010
【図９】
2011202814.tif 000011
【図１０】
2011202814.tif 000012
【図１１】
2011202814.tif 000013